(57)【要約】【課題】操作性が簡便であるとともに、唾液の排出をおこないやすくし、医療従事者や患者にかかる負担を軽減することが可能なマウスピース用貼付材を提供する。【解決手段】基材２１と、基材２１の一面に形成された粘着剤層２２と、粘着剤層２２の他面に設けられた剥離シート２３とからなるマウスピースを固定するための貼付材１であって、前記貼付材１の中央部に口内に連通する開口部３を設け、前記開口部３に隣接して、または前記開口部３と間隔をあけた近い位置に口内から唾液を排出するための唾液排出部４を設けたことを特徴とする。【選択図】図１
0003169169.tif 000002
【実用新案登録請求の範囲】
【請求項１】
基材と、基材の一面に形成された粘着剤層と、粘着剤層の他面に設けられた剥離シートとからなるマウスピースを固定するための貼付材であって、
前記貼付材の中央部に口内に連通する開口部を設け、前記開口部に隣接して、または前記開口部と間隔をあけた近い位置に口内から唾液を排出するための唾液排出部を設けたことを特徴とするマウスピース用貼付材。
【請求項２】
前記唾液排出部と前記開口部とは、連続して一体形成されたことを特徴とする請求項１に記載のマウスピース用貼付材。
【請求項３】
前記唾液排出部が、前記基材の長手方向における前記開口部の長軸の端部に設けられていることを特徴とする請求項1又は２に記載のマウスピース用貼付材。
【請求項４】
前記唾液排出部が、切り欠きまたはスリットで形成されたことを特徴とする請求項１ないし３のいずれか一項に記載のマウスピース用貼付材。
【請求項５】
基材と、基材の一面に形成された粘着剤層と、粘着剤層の他面に設けられた剥離シートとからなるマウスピースを固定するための貼付材であって、
前記貼付材の中央部に口内に連通する開口部と、前記開口部と連続して一体形成された口内から唾液を排出するための唾液排出部と、を設け、
前記唾液排出部が、前記基材の長手方向における前記開口部の長軸の端部に、切り欠きまたはスリットで形成されたことを特徴とするマウスピース用貼付材。
【請求項６】
前記切り欠きが円弧状であることを特徴とする請求項４又は５に記載のマウスピース用貼付材。
【請求項７】
前記基材の長手方向の両端部に、粘着剤層を有しないか若しくは粘着力を有さない領域を設けたことを特徴とする請求項１ないし６のいずれか１項に記載のマウスピース用貼付材。
【考案の詳細な説明】
【技術分野】
【０００１】
本考案は、マウスピースを固定するための貼付材であって、より詳しくは、医療従事者が扱いやすいマウスピース用貼付材に関する。
また、本考案は、唾液を排出しやすいマウスピース用貼付材にも関する。
【背景技術】
【０００２】
従来から、気管支、食道、胃、十二指腸等の上部消化管内の検査や治療に内視鏡が用いられている。また、内視鏡を用いた施術方法として、内視鏡的粘膜下層剥離術（Ｅｎｄｏｓｃｏｐｉｃ Ｓｕｂｍｕｃｏｓａｌ Ｄｉｓｓｅｃｔｉｏｎ：ＥＳＤ）や内視鏡的粘膜切除術（Ｅｎｄｏｓｃｏｐｉｃ Ｍｕｃｏｓａｌ Ｒｅｓｅｃｔｉｏｎ：ＥＭＲ）等が知られている。
【０００３】
内視鏡を口腔から体腔内に挿入案内する際において、患者が内視鏡の体内挿入部（可撓管）を噛んで破損させてしまうことがあるため、内視鏡用マウスピースを使用する場合がある（特許文献１参照）。
【０００４】
このとき、マウスピースがズレてしまうと、医療従事者が可撓管を持って作業しづらくなる。
そこで、マウスピースのズレや口から外れることを防ぐために、市販の医療用貼付材等によってマウスピースを口唇周囲の皮膚に固定する方法が、医療現場ではよく行われている。
【先行技術文献】
【特許文献】
【０００５】
【特許文献１】特開２０００‐３２５３０２号公報
【考案の概要】
【考案が解決しようとする課題】
【０００６】
ところで、医療従事者は、患者に処置を施す際に感染予防の観点等からゴム手袋等を着用している。
しかしながら、市販の医療用貼付材を用いて固定しようとすると、医療用貼付材の基材の全面に設けられた粘着剤層によって貼付材がゴム手袋等に貼り付いてしまい、扱いづらいといった問題がある。
また、市販の医療用貼付材を用いた場合には、手技の統一がはかれず、作業時間の増大や貼り直し等を招き、医療従事者や患者に負担がかかるといった問題がある。
さらに、ゴム手袋等に貼付材が貼り付いてしまうことで、貼付作業の煩わしさが増大したり、貼り直しによるコストの増加を招いたりするといった問題もある。
【０００７】
一方、中央に開口部を設けた１枚の大きな貼付材によって、マウスピースと口唇周囲全体を固定させる方法も考えられる。
しかしながら、かかる方法においては、マウスピースの開口部と連通する開口部を通じてしか唾液の排出ができないため、患者によっては口腔内に貯留した唾液によって誤嚥を招く虞がある。
【０００８】
さらに、貼付材を口唇周囲に密着させた場合、患者の状態が急変した際に、剥離に手間取るという問題もある。
【０００９】
本考案は、上記問題点に鑑みてなされたものであり、操作性が簡便であるとともに、唾液の排出をおこないやすくし、医療従事者や患者にかかる負担を軽減することを目的としたマウスピース用貼付材を提供することにある。
【課題を解決するための手段】
【００１０】
前記課題を解決するため、本考案のマウスピース用貼付材は、基材と、基材の一面に形成された粘着剤層と、粘着剤層の他面に設けられた剥離シートとからなるマウスピースを固定するための貼付材であって、前記貼付材の中央部に口内に連通する開口部を設け、前記開口部に隣接して、または前記開口部と間隔をあけた近い位置に口内から唾液を排出するための唾液排出部を設けたことを特徴とする。
【００１１】
前記考案の実施態様の考案としては下記が好ましい。
【００１２】
即ち、前記唾液排出部と前記開口部とは、連続して一体形成されたことを特徴とする。また、前記唾液排出部が、切り欠きまたはスリットで形成されたことを特徴とする。
【００１３】
さらに、前記基材の長手方向の両端部に、粘着剤層を有しないか若しくは粘着力を有さない領域を設けたことを特徴とする。また、前記開口部に、貼付用目印を設けたことを特徴とする。
【考案の効果】
【００１４】
本考案によれば、貼付材に設けられた開口部以外に、唾液排出部を設けることによって、開口部以外からも唾液を排出させることができる。これにより、口腔内に唾液が溜まらないため、患者の息苦しさを緩和できる。
また、唾液の排出口から唾液を排出することによって、誤嚥などを防ぐことができる。
【００１５】
さらに、本考案によれば、貼付材の一部に貼付剤層を有しないか若しくは粘着力を有さない領域を設けたため、剥離シートを剥がした状態などであっても、ゴム手袋等にマウスピース用貼付材が貼りつくことを防ぐことができる。これにより、ゴム手袋をはめた状態であっても、取り扱いを容易にすることができる。
【図面の簡単な説明】
【００１６】
【図１】本実施形態にかかるマウスピース用貼付材の六面図である。
【図２】本実施形態にかかるマウスピース用貼付材の使用状態を説明する状態説明図である。
【図３】他の実施形態にかかる剥離シートの構造を示したマウスピース用貼付材の背面図である。
【図４】他の実施形態にかかる基材の形状を示したマウスピース用貼付材の平面図である。
【図５】他の実施形態にかかる位置決め目印を設けた構造を示したマウスピース用貼付材の平面図である。
【図６】他の実施形態にかかる唾液排出部の形状を示したマウスピース用貼付材の平面図である。
【考案を実施するための形態】
【００１７】
本考案を実施するための最良の形態について図面を参照して詳細に説明する。
参照する図面において、図１は、本考案のマウスピース用貼付材を示す六面図である。
なお、同一の構成要素に関しては同一の符号を付し、重複した説明は省略するものとする。
【００１８】
≪マウスピース用貼付材１について≫
本実施形態にかかるマウスピース用貼付材１は、図１に示すように、貼付部２と、貼付部２の中央部に設けられた開口部３と、開口部３の端に設けられた唾液排出部４とから構成されている。
【００１９】
＜貼付部２＞
本実施形態における貼付部２は、口唇周囲とマウスピースとに接着するための部位であって、５０ｍｍ×１７０ｍｍの平面視略矩形状に形成されている。また、貼付部２の中央部には、後記する開口部３と、開口部３の端に連続するように唾液排出部４とが構成されている。なお、短手方向の長さとしては４０〜６０ｍｍであることが好ましく、長手方向の長さとしては１００〜３００ｍｍであることが好ましい。
【００２０】
本実施形態における貼付部は、図１に示すように、基材２１と、基材２１の一面に形成された粘着剤層２２と、粘着剤層２２の他面に設けられた剥離シート２３と、から構成されている。
【００２１】
（基材２１）
【００２２】
本考案における基材２１の形態としては、不織布、編布、織布等の繊維シート、プラスチックフィルム、フォームシート、紙等が挙げられ、これらを単独で使用してもよいし、同一又は異なる種類を複数組み合わせて使用してもよい。また、ラミネートした積層構造として使用してもよい。
なお、ラミネートすることにより、後記する唾液排出部４から排出された唾液が基材２１に染み込むことを防ぐことができる。
【００２３】
繊維シートの材料としては、例えば、綿、ビスコースレーヨン、ポリノジック、銅アンモニアレーヨン、リヨセル等のセルロース系繊維、ポリエステル系繊維、アクリル系繊維、ポリアミド系繊維、ポリオレフィン系繊維、ポリウレタン系繊維、ビニロン繊維、ポリ塩化ビニル系繊維、ポリ塩化ビニリデン系繊維等を利用できる。
これらの材料は、単一で使用してもよく、二種類以上を混紡して使用してもよい。
【００２４】
プラスチックフィルムの材料としては、例えば、ポリウレタン；ポリエチレンテレフタレート、ポリブチレンテレフタレート等のポリエステル；ナイロン６、ナイロン６６等のポリアミド；ポリエチレン、低密度ポリエチレン、高密度ポリエチレン、ポリプロピレン等のポリオレフィン；エチレン・酢酸ビニル共重合体（ＥＶＡ）、エチレン・エチルアクリレート共重合体（ＥＥＡ）、エチレン・メチルアクリレート共重合体（ＥＭＡ）、エチレン・メチルメタクリレート共重合体（ＥＭＭＡ）、エチレン・メタクリル酸重合体（ＥＭＡＡ）、エチレン・アクリル酸共重合体（ＥＡＡ）等のオレフィン系共重合体；ポリビニルアルコール；ポリ塩化ビニル、ポリ塩化ビニリデン；シリコーン；等をあげることができる。
より好ましくは、水蒸気透過性のあるポリウレタン、ポリエステル、ポリアミド等が好ましい。
なお、これらの材料は、単一で使用してもよく、二種類以上を混合して使用してもよい。
【００２５】
フォームシートの材料としては、ポリオレフィン、ポリウレタン、アクリル、クロロプレンゴム、シリコーン等をあげることができる。
【００２６】
紙としては、従来から知られている上質紙、クラフト紙、グラシン紙、コート紙等が使用できる。
【００２７】
本実施形態にかかる基材２１としては、身体に追従し得る柔軟性、後記する剥離シート２３からの剥がし易さと貼付のし易さの観点から、厚さが１５〜５００μｍ、単位面積当りの重さが１０〜１５０ｇ／ｍ２であること好ましい。また、使用中に破断しないように、基材２１の引っ張り強度が１０Ｎ／インチ以上であることが好ましく、３０Ｎ／インチ以上であることがより好ましい。
【００２８】
（粘着剤層２２）
粘着剤層２２としては、種々の感圧性粘着剤が使用でき、例えばアクリル系、シリコーン系、ポリエステル系、ウレタン系、ビニルエーテル系、天然ゴム系、合成ゴム系等の感圧性粘着剤が使用できる。
本実施形態においては、アクリル系粘着剤を用いることが好ましい。
【００２９】
本実施形態にかかる粘着剤層２２は、厚さが１０〜５００μｍ、塗工重量が１０〜５００ｇ／ｍ2の範囲であることが好ましい。また、粘着力は、フェノール樹脂板（タイコーライトＦＬ−１０２；二村化学株式会社製）を用いて、ＪＩＳ Ｚ０２３７に準じた試験を行った際に、２〜３０Ｎ／インチであることが好ましく、より好ましくは５〜１０Ｎ／インチである。
【００３０】
（剥離シート２３）
貼付部２１に使用する剥離シート２３としては、公知の剥離紙、剥離フィルムが利用でき、紙やフィルムの表面にシリコーン樹脂処理やフッソ樹脂処理等を施したものを利用できる。また、これらの剥離シート２３にエンボス等の凹凸を設け、把持しやすいように加工してもよい。
【００３１】
（把持部２５）
把持部２５は、剥離シート２３を剥がしやすくするとともに、医療従事者がマウスピース用貼付材１を患者に貼り付ける際に把持しやすくするためのものであって、基材２１の長手方向の両端に設けられている。
【００３２】
本実施形態においては、図１に示すように、基材２１の端部から長手方向に渡って長さｔの領域に粘着剤層２２を設けないことにより、把持部２５が形成されている。ここで、ｔの長さとしては、５〜４０ｍｍであることが好ましく、１０〜２０ｍｍであることがより好ましい。
【００３３】
なお、本実施形態においては、粘着剤層２２を設けないことにより把持部２５を形成しているが、これに限られるものではなく、粘着剤層２２の上にシリコーン等を塗工したり、ＰＥＴフィルムを設けたりすることによって、粘着力を有しない領域を設けてもよい。かかる構成とすることで、粘着力を有さない領域が、把持部２５の役割をはたす。また、把持部２５の形状は、基材２１の形状を変更するか、粘着剤層２２を設ける範囲を変えることなどによって、適宜変更可能である。
【００３４】
＜開口部３＞
開口部３は、マウスピースの開口部と略同じ大きさであって、マウスピース用貼付材１をマウスピースと口唇周囲の皮膚に貼付した際に、マウスピースの開口部と連通し、口腔内に可撓管を導入案内するためのものである。
本実施形態においては、図１に示すように、開口部３は楕円形状であり、基材２１の長手方向に長軸が、短手方向に短軸がくるように設けられている。また、開口部３はマウスピース用貼付材１の中央部に設けられている。
【００３５】
＜唾液排出部４＞
唾液排出部４は、口内から口外へ唾液を排出するためのものである。
本実施形態における唾液排出部４は、図１に示すように、開口部３の長軸の両端に開口部３と連続するように設けられている。言い換えると、本実施形態における唾液排出部４は、開口部３の長軸の円周から把持部２５側に向かって円弧状に切り欠かれた形状となっている。
【００３６】
本実施形態における唾液排出部４の大きさとしては、直径１５〜３０ｍｍであることが好ましいが、特に大きさは制限されるものではない。また、唾液排出部４の数は特に制限されるものではなく、複数設けてもよい。
さらに、本実施形態においては、マウスピース用貼付材１の一方の唾液排出部４の端から他方の唾液排出部４の端までの長さＬが、４０〜９０ｍｍであることが好ましく、５０〜６０ｍｍであることがより好ましい。４０ｍｍ未満だと、マウスピースによって唾液排出部４が塞がってしまい、９０ｍｍよりも大きいと、口を開けることができてしまうため、マウスピースを固定できない。
【００３７】
＜マウスピース用貼付材１の使用方法＞
マウスピース用貼付材１の使用方法について図１及び図２を参照しつつ、説明する。
図２は、マウスピース用貼付材１の使用方法を説明するための状態説明図である。
【００３８】
図２に示すように、はじめに、患者はマウスピースＭを咥える。
マウスピースＭを咥えた後、医療従事者はマウスピース用貼付材１の剥離シート２３を剥がす。このとき、本実施形態においては、貼付部２には把持部２５の領域分だけ粘着剤層２２が設けられていないため、剥離シート２３を摘みやすく、容易に剥離シート２３を剥がすことができる。これにより、医療従事者がゴム手袋などを着用した状態であっても、操作性を向上させることができる。
また、把持部２５を把持したまま作業ができるため、マウスピースＭと接触する粘着剤層２２に医療従事者の手が触れることがなく、衛生的に保つことができる。
【００３９】
さらに、本考案においては、図１に示すように、短手方向に沿って剥離シート２３にスリットＳ１が設けてある。これにより、剥離シート２３を分割して剥がすことができるため、一度に剥離シート２３を剥がした場合に比べて、粘着剤層２２が予期せぬ場所に貼り付くことを防ぐことができる。
また、剥離シート２３を分割して剥がすことによって、マウスピースＭの外側（口腔外）に面した開口部周囲と口唇周囲とに、皺などを発生させないように密着して貼り付けることができる。
なお、長手方向におけるスリットＳ１の位置としては、特に限定されるものではない。
【００４０】
次に、医療従事者は把持部２５を持って、マウスピース用貼付材１の開口部３が、マウスピースＭの開口部６と一致するように貼り付ける。このとき、マウスピース用粘着剤１を、マウスピースＭの外側（口腔外）に面した開口部周囲と、口唇周囲とに密着するように貼り付ける。これにより、マウスピース用貼付材１が、マウスピースＭと口唇周囲にまたがって接するので、マウスピースＭの位置ズレや吐き出しを防止することができる。
【００４１】
なお、本実施形態においては、マウスピース用貼付材１を貼付した際に、唾液排出部４がマウスピースＭ及び口唇周囲によって塞がれることがないため、唾液排出部４が直接口内と連通した状態となる。言い換えると、唾液排出部４は、マウスピースＭの口腔外に面した部分よりも外側に切り欠かれているため、マウスピースＭとの間に口腔内に続く隙間が形成される。
【００４２】
その後、医療従事者は、マウスピース用貼付材１からマウスピースＭの開口部６を通じて可撓管を挿入案内し、検査を行う。
なお、通常、患者は横向きに寝た状態で検査を受けるが、口内に溜まった唾液は唾液排出部４を通って口外へ排出されるため、患者の口内に唾液が溜まりにくい。したがって、息苦しさを軽減でき、また、誤嚥の発生を防ぐことができる。
また、本実施形態にかかるマウスピース用貼付材１は、口の開口範囲を制限することができる。これにより、マウスピースＭの飛び出しを制限したり、患者がマウスピースＭを吐き出したりすることを防止することができる。
【００４３】
さらに、本実施形態においては、吸引ポンプに接続したカテーテルを唾液排出口４から口腔内に導入してもよい。これにより、意識のない患者や唾液を上手に排出できない高齢者などに対しても唾液の排出を効率よく行うことができる。なお、このときの吸引ポンプの吸引圧としては、大気圧から１０〜１５０ｍｍＨｇ程度減圧して行うことが好ましく、１０〜５０ｍｍＨｇ程度減圧して行うことがより好ましい。
【００４４】
検査や施術が終わった後は、把持部２５を摘んで引っ張ることで、比較的容易に剥がすことができる。ここで、従来のように医療用貼付材を用いてマウスピースを固定した場合、基材の全面に粘着剤層が設けられていたため、ゴム手袋を着用した状態では剥がしにくかった。
しかし、本実施形態においては、把持部２５に粘着剤層２２を設けていないため、把持部２５を摘んで引っ張ることにより比較的容易に剥がすことができる。これにより、検査や施術中の緊急時においても、素早くマウスピース用貼付材１を剥がすことができる。
【００４５】
以上、本考案の好適な実施形態について説明したが、本考案は前記実施形態に限定されず、本考案の趣旨を逸脱しない範囲で適宜変更可能である。なお、以下に示す実施形態においても、平面図と裏面図、正面図と背面図、右側面図と左側面図とは、それぞれ対照となっている。
【００４６】
例えば、図３に示すように、剥離シート２３をマウスピース用貼付材１の長手方向のいずれかで折り曲げる構成としてもよい。ここで、図３は他の実施形態にかかるマウスピース用貼付材１の背面図である。
かかる構成とすることで、剥離シート２３を剥がしやすくすることができる。
【００４７】
さらに、図４に示すように、マウスピース用貼付材１の口唇周囲と接着する面積を増やす構造としてもよい。ここで、図４は、他の実施形態にかかるマウスピース用貼付材１の平面図である。
例えば、図４（ａ）、（ｂ）に示すように、左右両側の貼付材の面積を増やしてもよい。これにより、頬での接着面積を増やすことが出来るので、より剥がれにくくすることができる。また、図４（ｃ）、（ｄ）に示すような形状とすることにより、口唇周囲と接着する面積を増やしてもよい。
【００４８】
本考案において、マウスピース用貼付材１をマウスピースＭ（図２参照）の適した位置に貼り付けるために、マウスピース用貼付材１に目印を設けてもよい。ここで図５は、本考案にかかるマウスピース用貼付材１に、貼付目印を設けた構成を示す図である。
例えば、図５（ａ）、（ｂ）に示すように、開口部３の円周上に凸部３１または凹部３２を設けることにより、貼付する際の位置決め目印として機能させることができる。
これにより、マウスピース用貼付材１の開口部３と、マウスピースＭの開口部とが一致するように貼れるので、貼り直しなどの手間を省くことができる。
【００４９】
本考案においては、マウスピースやチューブなどに糊残りが発生しないように、開口部周囲の粘着剤層の粘着力を、口唇周囲の皮膚に接触する粘着剤層の粘着力よりも弱めてもよい。
【００５０】
図６は、唾液排出部の別の形態を示した図である。
上記実施形態においては、唾液排出部４を開口部３と連続するように構成したが（図１参照）、本考案はこれに限られるものではなく、例えば図６（ａ）、（ｂ）に示すよう様なスリットＳ２、Ｓ３によって唾液排出部４を構成しても良い。かかる構成とすることで、装着時にスリットＳ２、Ｓ３が広がり唾液排出部４として機能する。また、図６（ｃ）に示すように、開口部３と連続することなく、開口部３の近傍に独立して唾液排出部４ａを設ける構成としてもよい。
【符号の説明】
【００５１】
１ マウスピース用貼付材
２ 貼付部
２１ 基材
２２ 粘着剤層
２３ 剥離シート
２５ 把持部
３ 開口部
３１ 凸部
３２ 凹部
４、４ａ 唾液排出部
６ マウスピースの開口部
Ｌ 長さ
Ｍ マウスピース
Ｓ１、Ｓ２、Ｓ３ スリット
【図１】
0003169169.tif 000003
【図２】
0003169169.tif 000004
【図３】
0003169169.tif 000005
【図４】
0003169169.tif 000006
【図５】
0003169169.tif 000007
【図６】
0003169169.tif 000008